(57)【要約】 【課題】  飲料水自動販売機へこの投入具で数本の飲料水缶やペットボトルを自動販売機の飲料水缶やペットボトルの投入口へ連続して投入すると時間の短縮と労力を軽減することができる飲料水缶やペットボトルの自動販売機への投入具を提供する。【解決手段】    飲料水缶やペットボトルを図１投入具に入れて缶止板の反対側を持ち上げると缶やペットボトルが転げて、缶止板で止まる。この投入具を自動販売機の缶やペットボトル投入口に持ち上げて，この缶止板の缶止板レバーを押すと缶止板が上に上がり飲料水缶やペットボトルの重さで飲料水缶やペットボトルが転げ落ちるようにした自動販売機への缶投入口への飲料水缶やペットボトル投入具である。【選択図】    図１
2019185075.tif 000002
【特許請求の範囲】
【請求項１】
断面がＵ字形の飲料水缶を入れる部分と断面がＵ字形をして飲料水缶の自動販売機の飲料水缶の投入口への乗せ掛板の底面に段差を付けて回転軸で連結した、飲料水缶やペットボトルの自動販売機の飲料水缶やペットボトルの投入口に飲料水缶やペットボトルを投入する投入具。
【請求項２】
請求項１の断面がＵ字形の飲料水缶を入れる部分の自動販売機の飲料水缶の投入口への乗せ掛板側の底板を直角に下方に曲げた連結板と断面がＵ字形をして飲料水缶を自動販売機の飲料水缶の投入口への乗せ掛板の断面がＵ字形の飲料水缶を入れる側の底板を直角に下方に曲げた連結板が段差を付けて回転軸で連結した、飲料水缶やペットボトルの自動販売機の飲料水缶やペットボトルの投入口に飲料水缶やペットボトルを投入する投入具。
【請求項３】
請求項２の断面がＵ字形をして飲料水缶を入れる部分の飲料水缶やペットボトルの投入口に乗せ掛板側の底板から直角に下方に曲げた連結板の中心の回転軸の穴の近くの左右に弓形の穴を開けた飲料水缶やペットボトルの自動販売機の飲料水缶やペットボトルの投入口に飲料水缶やペットボトルを投入する投入具。
【請求項４】
請求項２の断面がＵ字形をして自動販売機の飲料水缶の投入口への乗せ掛板の断面がＵ字形の飲料水缶を入れる側の連結板の中心の回転軸の穴の近くの左右に丸い穴を開けてボルトを通し、このボルトを断面がＵ字形の飲料水缶を入れる部分の連結板の弓形の穴に通して蝶ネジで連結板を固定して、飲料水缶やペットボトルの自動販売機の飲料水缶やペットボトルの投入口に飲料水缶やペットボトルを投入する投入具。
【請求項５】
請求項４の断面がＵ字形の自動販売機の飲料水缶の投入口への乗せ掛板を水平にして飲料水缶を入れる部分の連結板の弓形の穴に通したボルトを弓形の穴の上部や下部に移動して飲料水缶を入れる部分を斜面にして、飲料水缶やペットボトルの自動販売機の飲料水缶やペットボトルの投入口に飲料水缶やペットボトルを投入する投入具。
【請求項６】
請求項1の断面がＵ字形の飲料水缶を入れる部分の自動販売機の飲料水缶の投入口への乗せ掛板側の左側板と右側板の間にローラーの付いた天板を斜めに投入口への乗せ掛板側を低くして、断面が長方形をした飲料水缶やペットボトルの自動販売機の飲料水缶やペットボトルの投入口に飲料水缶やペットボトルを投入する投入具。
【請求項７】
請求項1の断面がＵ字形の飲料水缶を入れる部分の自動販売機の飲料水缶の投入口への乗せ掛板側の左側板と右側板の間にローラーの付いた天板の下の断面がＵ字形の飲料水缶を入れる部分にローラーを付けた飲料水缶やペットボトルの自動販売機の飲料水缶やペットボトルの投入口に飲料水缶やペットボトルを投入する投入具。
【請求項８】
請求項1の断面がＵ字形の自動販売機の飲料水缶の投入口への乗せ掛板の底板に自動販売機の飲料水缶やペットボトルの投入口への乗せ掛板が飲料水缶やペットボトルの高さに合わせて乗掛板を付けた飲料水缶やペットボトルの自動販売機の飲料水缶やペットボトルの投入口に飲料水缶やペットボトルを投入する投入具。
【発明の詳細な説明】
【技術分野】
【０００１】
本発明は、自動販売機の飲料水缶やペットボトルの投入口に飲料水缶やペットボトルを入れる投入具に関するものである。
【背景技術】
【０００２】
従来は、飲料水缶やペットボトルを手で一本ずつ自動販売機の飲料水缶やペットボトルの投入口に入れるだけである。
【先行技術文献】
【特許文献】
【０００３】
【特許文献１】特開２００２−３１２８３９
【特許文献２】特開２００３−２５２３８８
【特許文献３】特開２００３−２２８７５３
【特許文献４】特開２００５−３３８９１０
【特許文献５】特開平４−１１５３９２
【特許文献６】特開平６−２７４７５０
【特許文献７】特開平１１−１１４７１
【発明の概要】
【発明が解決しようとする課題】
【０００４】
従来は、飲料水缶やペットボトルを手で1本1本を自動販売機の飲料水缶やペットボトルの投入口に入れている。これには次のような欠点があった。飲料水缶やペットボトルを手で1本ずつ自動販売機の投入口に入れるので時間がかかる。飲料水缶やペットボトルを手で1本ずつ持ち上げて自動販売機の投入口に入れるので労力がかかる。本発明は、以上の欠点を解決するためになされたものである。
【課題を解決するための手段】
【０００５】
上記の問題点を解決するために，本発明は、自動販売機の飲料水缶やペットボトル投入口に飲料水缶やペットボトルを手で1本ずつ入れるのではなく、数本の飲料水缶やペットボトルを自動販売機の飲料水缶やペットボトル投入口に投入するのである。
【０００６】
断面がＵ字形の飲料水缶を入れる部分と断面がＵ字形をして飲料水缶の自動販売機の飲料水缶の投入口への乗せ掛板の底面が段差を付けて回転軸で連結して、断面がＵ字形をして飲料水缶の自動販売機の飲料水缶の投入口への乗せ掛板の底面を水平にして、断面がＵ字形の飲料水缶を入れる部分を斜めにすると、断面がＵ字形の飲料水缶を入れる部分の側板と底板に飲料水缶の力がかかり飲料水缶やペットボトルが転げ落ちて断面がＵ字形をして飲料水缶の自動販売機の飲料水缶の投入口への乗せ掛板の底面では水平になり転げるので、どんな高さの飲料水缶やペットボトルでも自動販売機の飲料水缶やペットボトルの投入口に投入することができる。
【０００７】
断面がＵ字形の飲料水缶を入れる部分の自動販売機の飲料水缶の投入口への乗せ掛板側の底板を直角に下方に曲げた連結板と断面がＵ字形をして飲料水缶の自動販売機の飲料水缶の投入口への乗せ掛板の反対側の底板を直角に下方に曲げた連結板が段差を付けて回転軸で連結すると断面がＵ字形をして飲料水缶の自動販売機の飲料水缶の投入口への乗せ掛板の底面に対して、飲料水缶やペットボトルを入れる部分を斜めにすることができるのである。
【０００８】
断面がＵ字形をして飲料水缶を入れる部分の自動販売機の飲料水缶の投入口への乗せ掛板側の底板を直角に下方に曲げた連結板の中心の回転軸の穴の近くの片方に回転軸より同じ半径の長さに連結板の底板に近い部分と底板の下方に丸い穴を開けて、断面がＵ字形をして飲料水缶の自動販売機の飲料水缶の投入口への乗せ掛板の連結板の中心の回転軸の穴の近くの片方に回転軸より同じ半径の長さに連結板の底板に近い部分と底板の下方に丸い穴を開けて、断面がＵ字形をして飲料水缶の自動販売機の飲料水缶の投入口への乗せ掛板の底板を水平にして断面がＵ字形の飲料水缶を入れる部分を斜めすると、飲料水缶やペットボトルが断面のＵ字形の飲料水缶を入れる部分の側板と底板に飲料水缶の力がかかり飲料水缶やペットボトルが転げ落ちて断面がＵ字形をして飲料水缶の自動販売機の飲料水缶の投入口への乗せ掛板の底面では水平になり飲料水缶やペットボトル転げるように断面がＵ字形の飲料水缶を入れる部分の連結板の弓形の穴に通したボルトを蝶ネジで固定する。
【０００９】
自動販売機の飲料水缶やペットボトルの投入口への乗せ掛板を飲料水缶やペットボトルの高さに合わせるために２枚の乗掛板が横に別々にスライドするように乗せ掛板をつけると飲料水缶やペットボトルの高さに対応して、自動販売機の飲料水缶やペットボトルの投入口に飲料水缶やペットボトルを投入することができる。
【００１０】
自動販売機の飲料水缶やペットボトルの投入口に乗せ掛ける２枚の乗掛板の底部に飲料水缶やペットボトルの投入口に深入りしないように２枚の乗掛板にボルトや深入り防止版をつけると自動販売機の飲料水缶やペットボトルの投入口に乗せ掛けやすくなる。
【００１１】
断面がＵ字形の飲料水缶を入れる部分の断面がＵ字形をして飲料水缶の自動販売機の飲料水缶の投入口への乗せ掛板側の左側板と右側板の間にローラーの付いた天板を斜めに付けて、断面が長方形になるようにすると、飲料水缶やペットボトルを２段に入れることができるので、一度に多くの飲料水缶やペットボトルを自動販売機に投入することができる。
【００１２】
断面がＵ字形の飲料水缶を入れる部分の断面がＵ字形をして飲料水缶の自動販売機の飲料水缶の投入口への乗せ掛板側の左右の側板の下部に缶止板の回転軸を付け、断面がコの字形の金具の両端の穴に回転軸のボルトを通すと断面がＵ字形をした飲料水缶が転げ落ちる溝の上部を仕切るので飲料水缶やペットボトルを止めることができる。回転軸に付け断面がコの字形の金具にレバーを付けてこれを下方に押すと、断面がコの字形の金具が上に上がり飲料水缶やペットボトルが転げ落ちるのである。
【００１３】
断面がＵ字形の左右の側板に持手を付けるとこの飲料水缶やペットボトルの投入具が持ちやすく動かしやすく、また、運搬しやすくなる。
【発明の効果】
【００１４】
本発明を使用することにより飲料水缶やペットボトルを手で1本ずつ入れることなく，数本の飲料水缶やペットボトルを飲料水缶やペットボトルの投入具に入れ、飲料水自動販売機の投入口に投入具の乗掛板を乗せ掛けて飲料水缶やペットボトルの投入具の投入口の乗せ掛板の反対側の端を持ち上げると、飲料水缶やペットボトルが断面のコの字形の金具の飲料水缶の缶止板で止まる。この投入具の断面がコの字形の金具の飲料水缶缶止板の缶止板レバーを下に押すと缶止板が上に上がり、飲料水缶やペットボトルが転がり落ちて飲料水自動販売機の飲料水缶投入口に投入される。飲料水缶やペットボトルを入れる部分と断面がＵ字形をして飲料水缶の自動販売機の飲料水缶の投入口への乗せ掛板に段差をつけて連結されているので飲料水自動販売機の投入口に投入具の乗掛板を乗せ掛けると飲料水缶やペットボトルを入れる部分が斜めになるので飲料水缶やペットボトルが側板と底板に飲料水缶の力がかかり転げ落ちるので、いろいろな高さの飲料水缶やペットボトルを飲料水自動販売機に投入することができるので時間がかからない。短時間で投入が終わるので労力がかからない。
【図面の簡単な説明】
【００１５】
【図１】本発明の斜視図である。
【図２】本発明の先端部の側面図である。
【図３】本発明の飲料水缶を入れる側の連結板の正面図である。
【図４】本発明の投入口への乗せ掛板側の連結板の正面図である。
【図５】本発明の連結板の連結した正面図である。
【図６】本発明の左右乗せ掛板の下部の正面図である。
【図７】本発明の左乗せ掛板の側面図である。
【発明を実施するための形態】
【００１６】
本発明は、自動販売機の飲料水缶やペットボトルの投入口に飲料水缶やペットボトルを手で1本ずつ入れるのではなく、断面がＵ字形をして飲料水缶を入れる部分に数本の飲料水缶やペットボトルを入れ自動販売機の飲料水缶やペットボトルの投入口に投入するための投入具である。
【００１７】
断面がＵ字形をして飲料水缶を入れる部分の飲料水缶の投入口への乗せ掛板側の底面から直角に下方に曲げた連結板と飲料水缶の投入口への乗せ掛板の飲料水缶を入れる側の底面を直角に下方に曲げた連結板に段差を付けて回転軸で連結すると飲料水缶の投入口への乗せ掛板を水平にして、飲料水缶やペットボトルを入れる部分を斜めにすることができるのである。
【００１８】
自動販売機の飲料水缶やペットボトルの投入口に飲料水缶やペットボトル投入するために断面がＵ字形をして飲料水缶を入れる部分の飲料水缶の投入口への乗せ掛板側に飲料水缶を止める断面がコの字の缶止板を付ける。断面がＵ字形の飲料水缶を入れる部分と飲料水缶の投入口への乗せ掛板の底面が段差を付けて回転軸で連結して、飲料水缶の投入口への乗せ掛板を水平にして断面がＵ字形の飲料水缶を入れる部分を斜めにすると、飲料水缶が側板と底板に力がかかり転がり落ちて飲料水缶の投入口への乗せ掛板では水平になり転げるので、どんな高さの飲料水缶やペットボトルでも自動販売機の飲料水缶やペットボトルの投入口に飲料水缶やペットボトルを投入することができる。
【００１９】
断面がＵ字形をして飲料水缶を入れる部分の飲料水缶の投入口への乗せ掛板側の底面を直角に下方に曲げた連結板の中心の回転軸の穴の近くの左右に弓形の穴を開けて、飲料水缶の投入口への乗せ掛板の飲料水缶を入れる側の底面から直角に下方に曲げた連結板に回転軸の穴の左右に丸い穴を開け、この穴にボルトを通し飲料水缶を入れる部分の飲料水缶の投入口への乗せ掛板側の底面から直角に下方に曲げた連結板の中心の回転軸の穴の近くの左右の弓形の穴に通す。飲料水缶の投入口への乗せ掛板を水平にして、飲料水缶を入れる部分を斜めするために、左右の弓形の穴の片方の弓形の穴の上部にボルトを移動させ蝶ネジで固定する。飲料水缶を入れる部分を斜めすると飲料水缶が側板と底板に力がかかり転げ落ちて飲料水缶の投入口への乗せ掛板では水平になり転げ落ちる。
【００２０】
飲料水缶の投入口への断面がＵ字形をして飲料水缶を入れる部分の飲料水缶の投入口への乗せ掛板の底板に自動販売機の飲料水缶やペットボトルの投入口に乗せ掛ける板が飲料水缶やペットボトルの高さに合わせて２枚の乗掛板を断面がコの字形の溝の付いた金具を投入口に乗せ掛板の前部と後部につけて横に別々にこの断面がコの字形の溝をスライドするようにして、乗掛板をつけると飲料水缶やペットボトルの高さに合わせて、自動販売機の飲料水缶やペットボトルの投入口に飲料水缶やペットボトルを投入することができる。
【００２１】
飲料水缶の投入口への乗せ掛板の底板に自動販売機の飲料水缶やペットボトルの投入口に乗せ掛ける２枚の乗掛板の底部に飲料水缶やペットボトルの投入口に深入りしないように２枚の乗掛板にそれぞれにボルトをつけると自動販売機の飲料水缶やペットボトルの投入口に深入りしないで飲料水缶やペットボトルの投入具を乗せ掛けやすくなる。
【００２２】
断面がＵ字形の飲料水缶を入れる部分の飲料水缶やペットボトルの投入口に乗せ掛板側の左側板と右側板の間に天板にローラーを付けた断面を長方形にすると、飲料水缶やペットボトルを２段に入れても飲料水缶やペットボトルが転がり落ちるので、一度に多くの飲料水缶やペットボトルを飲料水缶やペットボトルの自動販売機に投入することができる。
【００２３】
飲料水缶やペットボトルの投入具の側板の後方部に鏡を立てるスタンドを付けると、飲料水缶やペットボトルの自動販売機の飲料水缶やペットボトルの投入口の端が見やすいので飲料水缶やペットボトルの投入具の乗掛板を飲料水缶やペットボトルの投入口に乗せ掛けやすい。
【００２４】
断面がＵ字形をして飲料水缶を入れる部分の飲料水缶の投入口に乗せ掛板側の左右の側板の下部に缶止板の回転軸を付け断面がコの字形の金具の両端を回転軸に通すと飲料水缶を入れる部分の上部を仕切るので飲料水缶やペットボトルを止めることができる。回転軸に付けた断面がコの字形の缶止板に缶止板レバーを付けてこれを下方に押すと、断面がコの字形の金具が上に上がり飲料水缶やペットボトルが転げ落ちるのである。
【００２５】
断面がＵ字形の自動販売機の飲料水缶の投入口への乗せ掛板の底板に自動販売機の飲料水缶やペットボトルの投入口への乗せ掛板が飲料水缶やペットボトルの高さに合わせて２枚の乗せ掛板を横に別々にスライドする乗せ掛板の底板の裏側に飲料水缶の高さに対応して固定するためにネジに圧縮バネをつけて、飲料水缶やペットボトルの自動販売機の飲料水缶やペットボトルの投入口に飲料水缶やペットボトルを投入し易くする。
【００２６】
断面がＵ字形の自動販売機の飲料水缶の投入口への乗せ掛板の底板に自動販売機の飲料水缶やペットボトルの投入口への乗せ掛板が飲料水缶やペットボトルの高さに合わせて２枚の乗せ掛板を横に別々にスライドするコの字形のガイドに乗せ掛板を飲料水缶の高さに対応して固定する穴を開け、乗せ掛板の圧縮バネ付きネジをガイドの穴に差し込みようにすると飲料水缶やペットボトルの自動販売機の飲料水缶やペットボトルの投入口に飲料水缶やペットボトルを投入し易くなる。
【００２７】
断面がＵ字形の左右の側板に取手を付けるとこの飲料水缶やペットボトルの投入具が持ちやすく動かしやすく、また、運搬しやすくなる。
【実施例】
【００２８】
本発明は、飲料水缶の数本の飲料水缶やペットボトルを自動販売機の飲料水缶やペットボトルの投入口に投入するものである。飲料水缶やペットボトルを入れる断面がＵ字形の投入具図１に入れる。断面がＵ字形の投入具図１の側面の缶止板回転軸５から上に断面がコの字形の缶止板６で飲料水缶やペットボトルが止まる。この投入具図１の左側板の取手４と右側板の取手３を持ち上げ左側板の取手４を高く持ち上げると飲料水缶やペットボトルが缶止板６の方に転げ落ちて、缶止板６で止まる。缶止板レバー１２を押すと缶止板６が上に上がり飲料水缶やペットボトルが自動販売機の飲料水缶やペットボトルの投入口の方に転げ落ちて自動販売機の飲料水缶やペットボトルの投入口に投入される。
【００２９】
断面がＵ字形をして飲料水缶を入れる部分の飲料水缶の投入口に乗せ掛板側の連結板図３を飲料水缶の投入口への乗せ掛板の飲料水缶を入れる側の底面の連結板図４が段差を付けて回転軸１８で連結すると飲料水缶やペットボトルの投入口に乗せ掛板２７を水平にして、飲料水缶やペットボトルを入れる部分を斜めにすることができる。これで飲料水缶やペットボトルが投入具図１の側板と底板に力がかかり転げ落ちて、乗掛板左スライド板１０と乗掛板右スライド板１１では水平になり転げ落ちるので、どんな高さの飲料水缶やペットボトルでも自動販売機の飲料水缶やペットボトルの投入口に飲料水缶やペットボトルを投入することができる。飲料水缶やペットボトルの高さに合わせて断面がＵ字形の投入具図１の乗掛板左スライド板１０と乗掛板右スライド板１１を自動販売機の飲料水缶やペットボトルの投入口の大きさに合わせると投入しやすくなる。
【００３０】
断面がＵ字形をして飲料水缶を入れる部分の飲料水缶やペットボトルの投入口に乗せ掛板側の底板から直角に下方に曲げた連結板の中心の回転軸の穴１８の近くの左右の弓形の連結板左弓形穴１６と連結板右弓形穴１７を開けて、飲料水缶が転げ落ちる乗せ掛板９を水平にして断面がＵ字形の投入具図１の飲料水缶を入れる部分を斜めにして、断面がＵ字形の投入具図１側板と底板に飲料水缶の力がかかり転げ落ちて飲料水缶やペットボトルの投入口に乗せ掛板では水平になり転げるように弓形の穴に通したボルトを連結板の左右の弓形穴の上部や下部に移動して投入具図１の飲料水缶を入れる部分を斜めにして蝶ネジで固定する。これで飲料水缶やペットボトルが投入具図１の側板と底板に力がかかり転げ落ちて乗掛板左スライド板１０と乗掛板右スライド板１１では水平になり転げ落ちるのでいろいろな高さの飲料水缶やペットボトルを自動販売機に投入できる。
【００３１】
飲料水缶やペットボトルを自動販売機の飲料水缶やペットボトルの投入口に投入するときに断面がＵ字形の投入具図１の乗掛板左スライド板１０と乗掛板右スライド板１１を自動販売機の飲料水缶やペットボトルの投入口に乗せ掛けるとき投入口が見えにくい時は、鏡スタンド１５の鏡で自動販売機の飲料水缶やペットボトルの投入口を見ると断面がＵ字形の投入具図１の乗掛板を乗せ掛けやすいのである。また、乗掛板９の乗掛板左スライド板１０と乗掛板右スライド板１１が自動販売機の飲料水缶やペットボトルの投入口に深入りしないように乗掛板右スライド板深入止ネジ２５と乗掛板左スライド板深入止ネジ２６で止まるようすると、自動販売機に飲料水缶やペットボトルを投入しやすくなる。
【産業上の利用可能性】
【００３２】
本発明は、飲料水缶やペットボトルを手で1本ずつ入れることなく，数本の飲料水缶やペットボトルを飲料水缶やペットボトルの投入具に入れ、飲料水自動販売機の投入口に投入するのである。この飲料水缶やペットボトルの投入具の缶止板の反対側を持ち上げると、飲料水缶やペットボトルが缶止板で止まる。この投入具の缶止板の缶止板レバーを下に押すと缶止板が上に上がり、飲料水缶やペットボトルが転がり落ちて飲料水自動販売機の飲料水缶投入口に投入される。飲料水缶やペットボトルの投入口に乗せ掛板側を水平にして、飲料水缶やペットボトルを入れる部分を斜めにすると飲料水缶やペットボトルが側板と底板に力がかかり転げ落ちるのでいろいろな高さの飲料水缶やペットボトルを飲料水自動販売機に投入することができる。短時間で投入できるので労力がかからない。そのため自動販売機のドアを開けておく時間が短いので、冷気が逃げる時間が少なく省ネルギーであり、また、交通の障害や缶購入者が待つ時間が少なく自動販売機を使用できるので不便を避けることができる。
【符号の説明】
【００３３】
１  右側板
２  左側板
３  左取手
４  右取手
５  缶止板回転軸
６  缶止板
７  缶投入部連結板
８  乗掛板連結板
９  乗掛板
１０  乗掛板右スライド板
１１  乗掛板左スライド板
１２  缶止板レバー
１３  乗掛板右側板
１４  乗掛板左側板
１５  鏡スタンド
１６  連結板右弓形穴
１７  連結板左弓形穴
１８  乗掛板の連結板回転軸穴
１９  乗掛板の連結板右回転軸穴
２０  乗掛板の連結板左回転軸穴
２１  連結板連結蝶ネジ
２２  連結板連結ボルト
２３  乗掛板前スライドレール
２４  乗掛板後スライドレール
２５  乗掛板右スライド板深入止ネジ
２６  乗掛板左スライド板深入止ネジ
２７  乗掛スライド板下板
２８  缶入部底板
２９  乗掛板前スライドレール右止ネジ
３０  乗掛板前スライドレール左止ネジ
３１  乗掛板後スライドレール左止ネジ
３２  乗掛板後スライドレール左止ネジ
３３  缶入部連結板回転軸穴
３４  乗掛板右スライド板の固定ピン
３５  乗掛板右スライド板の固定ピン押え板スライドネジ
３６  乗掛板右スライド板の固定ピン押え板引き上げピン
３７  乗掛板右スライド板の固定ピン押え板スライドネジ
３８  乗掛板左スライド板の固定ピン押え板
３９  乗掛板左スライド板の固定ピン押え板
４０  乗掛板左スライド板の固定ピン押え板引き上げピン
４１  乗掛板左スライド板の固定ピン押え板スライドネジ
４２  乗掛板左スライド板の固定ピン押え板スライドネジ
４３  乗掛板左スライド板の固定ピン押え板スライドネジ
【図１】
2019185075.tif 000003
【図２】
2019185075.tif 000004
【図３】
2019185075.tif 000005
【図４】
2019185075.tif 000006
【図５】
2019185075.tif 000007
【図６】
2019185075.tif 000008
【図７】
2019185075.tif 000009